(57)【要約】      （修正有）【課題】比較的狭い帯域（たとえば、６つの物理リソースブロック）に基づく探索空間を利用するコントロールチャネル上での通信を許可するためのシステムに適用され得る技法を提供する。【解決手段】ユーザ機器は、サブフレーム内において、狭帯域サイズを表す第１の数の物理リソースブロック（ＰＲＢ）を占有する、ダウンリンクコントロールチャネルに関してモニタするための第１の探索空間を識別する。サブフレームにおいて送信されたダウンリンクコントロールチャネルに関して少なくとも第１の探索空間をモニタすることを含む。【選択図】図１０
2020043593.tif 000002
【特許請求の範囲】
【請求項１】
ユーザ機器（ＵＥ）によるワイヤレス通信のための方法であって、
サブフレーム内において、狭帯域サイズを表す第１の数の物理リソースブロック（ＰＲＢ）を占有する、ダウンリンクコントロールチャネルに関してモニタするための第１の探索空間を識別すること、および
前記サブフレームにおいて送信された前記ダウンリンクコントロールチャネルに関して少なくとも前記第１の探索空間をモニタすること
を備える、方法。
【請求項２】
前記第１の数のＰＲＢは、前記ダウンリンクコントロールチャネルに関して第２の探索空間によって占有された第２の数のＰＲＢよりも多く、また、前記ダウンリンクコントロールチャネルに関して第３の探索空間によって占有された第３の数のＰＲＢよりも多い、請求項１に記載の方法。
【請求項３】
前記第２の探索空間によって占有された前記第２の数のＰＲＢは、１つ、２つ、または４つのＰＲＢのうちの１つを備える、請求項２に記載の方法。
【請求項４】
前記モニタすることは、
前記第１の数のＰＲＢに及ぶダウンリンクコントロールチャネル復号候補に関して前記第１の探索空間をモニタすること、および
前記第１の数のＰＲＢよりも少ない数のＰＲＢに及ぶダウンリンクコントロールチャネル復号候補に関して前記第２の探索空間または前記第３の探索空間のうちの少なくとも１つをモニタすること
を備える、請求項２に記載の方法。
【請求項５】
前記第１の数のＰＲＢは、６つのＰＲＢを備える、請求項１に記載の方法。
【請求項６】
前記第１の探索空間は、前記第２の探索空間と第３の探索空間の組み合わせを備える、請求項２に記載の方法。
【請求項７】
前記モニタすることは、前記第２の探索空間と前記第３の探索空間との両方におけるリソースを有する復号候補に関して前記第１の探索空間をモニタすることを備える、請求項６に記載の方法。
【請求項８】
前記第１の探索空間は、単一のダウンリンクコントロールチャネル復号候補を備える、請求項１に記載の方法。
【請求項９】
前記ダウンリンクコントロールチャネルは、サブフレームのセットを利用して送信され、ここにおいて、前記サブフレームのセットは、２つ以上のサブフレームを備える、請求項１に記載の方法。
【請求項１０】
モニタすることは、前記サブフレームのセットをモニタすることを備え、および、ここにおいて、前記サブフレームのセットは、ネットワークから受信された表示に少なくとも部分的に基づいて決定される、請求項９に記載の方法。
【請求項１１】
前記狭帯域サイズは、より広いシステム帯域幅内にある、請求項１に記載の方法。
【請求項１２】
前記狭帯域サイズのサイズは、前記ＵＥのカテゴリまたは前記ＵＥの性能のうちの少なくとも１つに基づく、請求項１に記載の方法。
【請求項１３】
基地局（ＢＳ）によるワイヤレス通信のための方法であって、
サブフレーム内において、狭帯域サイズを表す第１の数の物理リソースブロック（ＰＲＢ）を占有する、ダウンリンクコントロールチャネルに関してモニタするための、ユーザ機器（ＵＥ）に関する第１の探索空間を識別すること、および
前記第１の探索空間において、前記ＵＥに、１つまたは複数のダウンリンクコントロールチャネルを送信すること
を備える、方法。
【請求項１４】
前記第１の数のＰＲＢは、前記ダウンリンクコントロールチャネルに関して第２の探索空間によって占有された第２の数のＰＲＢよりも多く、また、前記ダウンリンクコントロールチャネルに関して第３の探索空間によって占有された第３の数のＰＲＢよりも多い、請求項１３に記載の方法。
【請求項１５】
前記第２の探索空間によって占有された前記第２の数のＰＲＢは、１つ、２つ、または４つのＰＲＢを備える、請求項１４に記載の方法。
【請求項１６】
前記送信することは、前記１つまたは複数のダウンリンクコントロールチャネルを、    前記第１の数のＰＲＢに及ぶダウンリンクコントロールチャネル復号候補に対応する前記第１の探索空間におけるリソース、または
前記第１の数のＰＲＢよりも少ない数のＰＲＢに及ぶダウンリンクコントロールチャネル復号候補に対応する前記第２の探索空間または前記第３の探索空間のうちの少なくとも１つにおけるリソース
を使用して、送信することを備える、請求項１４に記載の方法。
【請求項１７】
前記第１の数のＰＲＢは、６つのＰＲＢを備える、請求項１６に記載の方法。
【請求項１８】
前記送信することは、
前記第１、第２、および第３の探索空間の各々の内のダウンリンクコントロールチャネル復号候補の複数の異なるセットに従って、前記１つまたは複数のダウンリンクコントロールチャネルを送信することを備える、請求項１４に記載の方法。
【請求項１９】
前記第１の探索空間は、前記第２の探索空間と第３の探索空間の組み合わせを備える、請求項１４に記載の方法。
【請求項２０】
前記送信することは、前記第２の探索空間と前記第３の探索空間との両方におけるリソースを有するダウンリンクコントロールチャネル復号候補を使用して、前記第１の探索空間において前記１つまたは複数のダウンリンクコントロールチャネルを送信することを備える、請求項１９に記載の方法。
【請求項２１】
前記第１の探索空間は、単一のダウンリンクコントロールチャネル復号候補を備える、請求項１３に記載の方法。
【請求項２２】
送信することは、サブフレームのセットを使用して、前記１つまたは複数のダウンリンクコントロールチャネルを送信することを備え、ここにおいて、前記サブフレームのセットは、２つ以上のサブフレームを備える、請求項１３に記載の方法。
【請求項２３】
送信することは、前記１つまたは複数のダウンリンクコントロールチャネルに関してモニタするための前記サブフレームのセットを示す表示を送信することを備える、請求項２２に記載の方法。
【請求項２４】
前記狭帯域サイズは、より広いシステム帯域幅内にある、請求項１３に記載の方法。
【請求項２５】
前記狭帯域サイズのサイズは、前記ＵＥのカテゴリまたは前記ＵＥの性能のうちの少なくとも１つに基づく、請求項１３に記載の方法。
【請求項２６】
ユーザ機器（ＵＥ）によるワイヤレス通信のための装置であって、
サブフレーム内において、狭帯域サイズを表す第１の数の物理リソースブロック（ＰＲＢ）を占有する、ダウンリンクコントロールチャネルに関してモニタするための第１の探索空間を識別し、および
前記サブフレームにおいて送信された前記ダウンリンクコントロールチャネルに関して少なくとも前記第１の探索空間をモニタする
ように構成された少なくとも１つのプロセッサ、および
前記少なくとも１つのプロセッサに結合されたメモリ、
を備える、装置。
【請求項２７】
基地局（ＢＳ）によるワイヤレス通信のための装置であって、
サブフレーム内において、狭帯域サイズを表す第１の数の物理リソースブロック（ＰＲＢ）を占有する、ダウンリンクコントロールチャネルに関してモニタするための、ユーザ機器（ＵＥ）に関する第１の探索空間を識別し、および
前記第１の探索空間において、前記ＵＥに、１つまたは複数のダウンリンクコントロールチャネルを送信する
ように構成された少なくとも１つのプロセッサ、および
前記少なくとも１つのプロセッサに結合されたメモリ、
を備える、装置。
【発明の詳細な説明】
【米国特許法第１１９条に基づく優先権の主張】
【０００１】
[0001]  本願は、２０１４年１０月２０日に出願された米国仮特許出願第６２／０６６，３０５号、および２０１５年１０月１９日に出願された米国特許出願第１４／８８６，８９８号の利益を主張し、それら両方は、それら全文が参照により本明細書に組み込まれる。
【技術分野】
【０００２】
[0002]  本開示のある特定の複数の態様は、一般に、ワイヤレス通信、およびさらに特には、マシン型通信（単数または複数）（ＭＴＣ：machine type communication）デバイスのような、ある特定のワイヤレスデバイスのための、コントロールチャネルの設計に関する。
【背景技術】
【０００３】
[0003]  ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システム（multiple-access systems）であり得る。そのような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標））ロングタームエボリューション（ＬＴＥ（登録商標））／ＬＴＥ−アドバンストシステム、および、直交周波数分割多元接続（ＯＦＤＭＡ）システムを含む。
【０００４】
[0004]  一般に、ワイヤレス多元接続通信システムは、複数のワイヤレス端末のための通信を同時にサポートすることができる。各端末は、順方向および逆方向リンク上における送信を介して１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単一入力単一出力、多入力単一出力、または多入力多出力（ＭＩＭＯ）システムを介して確立され得る。
【０００５】
[0005]  ＭＴＣデバイスのような、ある特定のデバイスのカバレッジをエンハンスする（enhance）ために、ある特定の複数の送信が、たとえば、複数の（multiple）サブフレーム上で送信された（transmitted over）同じ情報と共に、送信のバンドル（a bundle of transmissions）として送られる「バンドリング」（“bundling”）は、利用され（utilized）得る。
【発明の概要】
【０００６】
[0006]  本開示のある特定の複数の態様は、マシン型通信（ＭＴＣ）ＵＥのような、ある特定のデバイスにコントロールチャネルを通信することに関する技法および装置を提供する。
【０００７】
[0007]  本開示のある特定の複数の態様は、ユーザ機器（ＵＥ）によるワイヤレス通信のための方法を提供する。方法は、一般に、サブフレーム内において、狭帯域サイズを表す第１の数の物理リソースブロック（ＰＲＢ）を占有する、ダウンリンクコントロールチャネルに関してモニタする（monitor for）ための第１の探索空間（search space）を識別すること、および、サブフレームにおいて送信されたダウンリンクコントロールチャネルに関して少なくとも第１の探索空間をモニタする（monitoring）ことを含む。
【０００８】
[0008]  本開示のある特定の複数の態様は、ユーザ機器（ＵＥ）によるワイヤレス通信のための装置を提供する。装置は、一般に、サブフレーム内において、狭帯域サイズを表す第１の数の物理リソースブロック（ＰＲＢ）を占有する、ダウンリンクコントロールチャネルに関してモニタするための第１の探索空間を識別するための手段、および、サブフレームにおいて送信されたダウンリンクコントロールチャネルに関して少なくとも第１の探索空間をモニタするための手段を含む。
【０００９】
[0009]  本開示のある特定の複数の態様は、ユーザ機器（ＵＥ）によるワイヤレス通信のための装置を提供する。装置は、一般に、サブフレーム内において、狭帯域サイズを表す第１の数の物理リソースブロック（ＰＲＢ）を占有する、ダウンリンクコントロールチャネルに関してモニタするための第１の探索空間を識別し、および、サブフレームにおいて送信されたダウンリンクコントロールチャネルに関して少なくとも第１の探索空間をモニタするように構成された少なくとも１つのプロセッサを含む。追加的に、装置は、一般に、少なくとも１つのプロセッサに結合されたメモリを含む。
【００１０】
[0010]  本開示のある特定の複数の態様は、命令を記憶したコンピュータ読み取り可能な媒体を備える、ユーザ機器（ＵＥ）によるワイヤレス通信のためのコンピュータプログラム製品を提供する。命令は、少なくとも１つのプロセッサによって実行されたとき、プロセッサに、サブフレーム内において、狭帯域サイズを表す第１の数の物理リソースブロック（ＰＲＢ）を占有する、ダウンリンクコントロールチャネルに関してモニタするための第１の探索空間を識別すること、および、サブフレームにおいて送信されたダウンリンクコントロールチャネルに関して少なくとも第１の探索空間をモニタすることを行わせる。
【００１１】
[0011]  本開示のある特定の複数の態様は、基地局（ＢＳ）によるワイヤレス通信のための方法を提供する。方法は、一般に、サブフレーム内において、狭帯域サイズを表す第１の数の物理リソースブロック（ＰＲＢ）を占有する、ダウンリンクコントロールチャネルに関してモニタするための、ユーザ機器（ＵＥ）に関する第１の探索空間を識別すること、および、第１の探索空間において、ＵＥに、１つまたは複数のダウンリンクコントロールチャネルを送信することを含む。
【００１２】
[0012]  本開示のある特定の複数の態様は、基地局（ＢＳ）によるワイヤレス通信のための装置を提供する。装置は、一般に、サブフレーム内において、狭帯域サイズを表す第１の数の物理リソースブロック（ＰＲＢ）を占有する、ダウンリンクコントロールチャネルに関してモニタするための、ユーザ機器（ＵＥ）に関する第１の探索空間を識別するための手段、および、第１の探索空間において、ＵＥに、１つまたは複数のダウンリンクコントロールチャネルを送信するための手段を含む。
【００１３】
[0013]  本開示のある特定の複数の態様は、基地局（ＢＳ）によるワイヤレス通信のための装置を提供する。装置は、一般に、サブフレーム内において、狭帯域サイズを表す第１の数の物理リソースブロック（ＰＲＢ）を占有する、ダウンリンクコントロールチャネルに関してモニタするための、ユーザ機器（ＵＥ）に関する第１の探索空間を識別し、および、第１の探索空間において、ＵＥに、１つまたは複数のダウンリンクコントロールチャネルを送信するように構成された少なくとも１つのプロセッサを含む。追加的に、装置は、一般に、少なくとも１つのプロセッサに結合されたメモリを含む。
【００１４】
[0014]  本開示のある特定の複数の態様は、命令を記憶したコンピュータ読み取り可能な媒体を備える、基地局（ＢＳ）によるワイヤレス通信のためのコンピュータプログラム製品を提供する。命令は、少なくとも１つのプロセッサによって実行されたとき、プロセッサに、サブフレーム内において、狭帯域サイズを表す第１の数の物理リソースブロック（ＰＲＢ）を占有する、ダウンリンクコントロールチャネルに関してモニタするための、ユーザ機器（ＵＥ）に関する第１の探索空間を識別すること、および、第１の探索空間において、ＵＥに、１つまたは複数のダウンリンクコントロールチャネルを送信することを行わせる。
【００１５】
[0015]  方法、装置、システム、コンピュータプログラム製品、および処理システムを含む、数多くの他の態様が提供される。
【図面の簡単な説明】
【００１６】
【図１】[0016]  図１は、本開示のある特定の複数の態様に従って、ワイヤレス通信ネットワークの例を概念的に例示するブロック図である。
【図２】[0017]  図２は、本開示のある特定の複数の態様に従って、ワイヤレス通信ネットワークにおいてユーザ機器（ＵＥ）と通信中の基地局の例を概念的に例示するブロック図を示す。
【図３】[0018]  図３は、本開示のある特定の複数の態様に従って、ワイヤレス通信ネットワークにおけるフレーム構造の例を概念的に例示するブロック図である。
【図４】[0019]  図４は、本開示のある特定の複数の態様に従って、ノーマル・サイクリック・プレフィックス（normal cyclic prefix）を有する２つの例となるサブフレームフォーマットを概念的に例示するブロック図である。
【図５】[0020]  図５は、本開示のある特定の複数の態様に従って、ｅＭＴＣに関する例となるサブフレーム構成を例示する。
【図６】[0021]  図６は、本開示のある特定の複数の態様に従って、リソースエレメント（ＲＥ：resource elements）の時間／周波数グリッドを例示する。
【図７Ａ】[0022]  図７Ａは、本開示のある特定の複数の態様に従って、局所型ｅＰＤＣＣＨ（a localized ePDCCH）に関する例となるｅＣＣＥの定義を例示する。
【図７Ｂ】[0023]  図７Ｂは、本開示のある特定の複数の態様に従って、分散型ｅＰＤＣＣＨ（a distributed ePDCCH）に関する例となるｅＣＣＥの定義を例示する。
【図８】[0024]  図８は、本開示のある特定の複数の態様に従って、様々なサブフレーム構成に関するｅＣＣＥごとのシンボルの例を例示する。
【図９】図９は、本開示のある特定の複数の態様に従って、様々なサブフレーム構成に関するｅＣＣＥごとのシンボルの例を例示する。
【図１０】[0025]  図１０は、本開示のある特定の複数の態様に従って、ユーザ機器（ＵＥ）による、ワイヤレス通信に関する例となる動作を例示する。
【図１１】[0026]  図１１は、本開示のある特定の複数の態様に従って、基地局（ＢＳ）による、ワイヤレス通信に関する例となる動作を例示する。
【図１２】[0027]  図１２は、本開示のある特定の複数の態様に従って、例となるコントロールチャネルの探索空間の構成（control channel search space configurations）を例示する。
【図１３】図１３は、本開示のある特定の複数の態様に従って、例となるコントロールチャネルの探索空間の構成を例示する。
【図１４】図１４は、本開示のある特定の複数の態様に従って、例となるコントロールチャネルの探索空間の構成を例示する。
【図１５】図１５は、本開示のある特定の複数の態様に従って、例となるコントロールチャネルの探索空間の構成を例示する。
【詳細な説明】
【００１７】
[0028]  本開示の複数の態様は、基地局とマシン型通信（ＭＴＣ）に基づく（machine type communication（MTC）-based）ユーザ機器（ＵＥ）との間の効率的な通信を可能にすることを手助けし得る技法を提供する。たとえば、技法は、通信のための狭帯域（たとえば、６ＰＲＢ）に基づく探索空間を使用して、ＭＴＣ  ＵＥを対象とする（targeting）コントロールチャネルに関する設計を提供し得る。
【００１８】
[0029]  本明細書で説明される技法は、ＣＤＭＡ、ＴＤＭＡ、ＦＤＭＡ、ＯＦＤＭＡ、ＳＣ−ＦＤＭＡ、および他のネットワークのような様々なワイヤレス通信ネットワークに使用され得る。「ネットワーク」および「システム」という用語は、交換可能に（interchangeably）使用されることが多い。ＣＤＭＡネットワークは、ユニバーサル地上無線アクセス（ＵＴＲＡ：universal terrestrial radio access）、ｃｄｍａ２０００等のような、無線技術をインプリメントし（implement）得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５、およびＩＳ−８５６規格をカバー（covers）する。ＴＤＭＡネットワークは、移動通信のためのグローバルシステム（ＧＳＭ（登録商標）：global system for mobile communications）のような無線技術をインプリメントし得る。ＯＦＤＭＡネットワークは、エボルブドＵＴＲＡ（Ｅ−ＵＴＲＡ）、ウルトラモバイルブロードバンド（ＵＭＢ：ultra mobile broadband）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）等のような無線技術をインプリメントし得る。ＵＴＲＡおよびＥ−ＵＴＲＡは、ユニバーサルモバイルテレコミュニケーションシステム（ＵＭＴＳ：universal mobile telecommunication system）の一部である。周波数分割複信（ＦＤＤ）および時分割複信（ＴＤＤ）の両方における、３ＧＰＰロングタームエボリューション（ＬＴＥ）およびＬＴＥ−アドバンスト（ＬＴＥ−Ａ）は、Ｅ−ＵＴＲＡを使用するＵＭＴＳの新リリースであり、それは、ダウンリンク上ではＯＦＤＭＡを、アップリンク上ではＳＣ−ＦＤＭＡを用いる（employ）。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の団体からの文書に説明されている。ｃｄｍａ２０００およびＵＭＢは、「第３世代パートナーシッププロジェクト２」（３ＧＰＰ２）という名称の団体からの文書に説明されている。本明細書で説明される技法は、他のワイヤレスネットワークおよび無線技術と同様に、上述されたワイヤレスネットワークおよび無線技術に使用され得る。明確さのために、本技法のある特定の複数の態様は、ＬＴＥ／ＬＴＥ−アドバンストに関して以下に説明され、ＬＴＥ／ＬＴＥ−アドバンストの専門用語は、以下の説明の大部分で使用される。ＬＴＥおよびＬＴＥ−Ａは、一般にＬＴＥと呼ばれる。
【００１９】
[0030]  ワイヤレス通信ネットワークは、多数の（a number of）ワイヤレスデバイスのための通信をサポートすることができる多数の基地局を含み得る。ワイヤレスデバイスは、ユーザ機器（ＵＥ）を含み得る。ＵＥのいくつかの例は、セルラ電話、スマートフォン、携帯情報端末（ＰＤＡ）、ワイヤレスモデム、ハンドヘルドデバイス、タブレット、ラップトップコンピュータ、ネットブック、スマートブック、ウルトラブック、ウェアラブル（たとえば、スマートグラス、スマートリング、スマートブレスレット、スマート衣類（smart clothing））等を含み得る。いくつかのＵＥは、マシン型通信（ＭＴＣ）ＵＥと考えられ得、それは、基地局、別のリモートデバイス、またはいくつかの他のエンティティと通信し得る、ドローン、ロボット、センサー、メーター、ロケーションタグ等のような、リモートデバイスを含み得る。マシン型通信（ＭＴＣ）は、通信の少なくとも１つのエンド（end）上の少なくとも１つのリモートデバイスに関与する（involving）通信を指し得、必ずしもヒューマンインタラクション（human interaction）を必要としない１つまたは複数のエンティティに関与するデータ通信の形態（forms）を含み得る。ＭＴＣ  ＵＥは、たとえば、地上波公共移動通信ネットワーク（ＰＬＭＮ：Public Land Mobile Networks）を通じて、ＭＴＣサーバおよび／または他のＭＴＣデバイスとＭＴＣ通信が可能なＵＥを含み得る。
【００２０】
[0031]  図１は、例となるワイヤレス通信ネットワーク１００を例示し、そこにおいて、本開示の複数の態様は、実施され得る。たとえば、本明細書において提示される技法は、図１に示されるＵＥおよびＢＳが、狭帯域（たとえば、６ＰＲＢ）に基づく探索空間を使用して、マシン型通信物理ダウンリンクコントロールチャネル（mPDCCH）上で通信することを手助けするために使用され得る。
【００２１】
[0032]  ネットワーク１００は、ＬＴＥネットワークまたはいくつかの他のワイヤレスネットワークであり得る。ワイヤレスネットワーク１００は、多数のエボルブドノードＢ（ｅＮＢ）１１０および他のネットワークエンティティを含み得る。ｅＮＢは、ユーザ機器（ＵＥ）と通信するエンティティであり、また、基地局、ノードＢ、アクセスポイント等と呼ばれ得る。各ｅＮＢは、特定の地理的エリアに通信カバレッジを提供し得る。３ＧＰＰにおいて、「セル」という用語は、用語が使用される文脈に依存して、ｅＮＢのカバレッジエリアおよび／またはこのカバレッジエリアにサービスする（serving）ｅＮＢサブシステムを指すことができる。
【００２２】
[0033]  ｅＮＢは、マクロセル、ピコセル、フェムトセル、および／または他のタイプのセルに通信カバレッジを提供し得る。マクロセルは、比較的大きい地理的エリア（たとえば、半径で数キロメートル）をカバーし得、サービスに加入しているＵＥによる無制限のアクセスを許可し得る。ピコセルは、比較的小さい地理的エリアをカバーし得、サービスに加入しているＵＥによる無制限のアクセスを許可し得る。フェムトセルは、比較的小さい地理的エリア（たとえば、自宅）をカバーし得、そのフェムトセルとの関連を有するＵＥ（たとえば、限定加入者グループ（ＣＳＧ：closed subscriber group）におけるＵＥ）による制限されたアクセスを許可し得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨｅＮＢ）と呼ばれ得る。図１に示される例において、ｅＮＢ１１０ａは、マクロセル１０２ａのためのマクロｅＮＢであり得、ｅＮＢ１１０ｂは、ピコセル１０２ｂのためのピコｅＮＢであり得、およびｅＮＢ１１０ｃは、フェムトセル１０２ｃのためのフェムトｅＮＢであり得る。ｅＮＢは、１つまたは複数（one or multiple）（たとえば、３つ）のセルをサポートし得る。「ｅＮＢ」、「基地局」、および「セル」という用語は、本明細書において交換可能に使用され得る。
【００２３】
[0034]  ワイヤレスネットワーク１００はまた、中継局を含み得る。中継局は、アップストリーム局（たとえば、ｅＮＢまたはＵＥ）からデータの送信を受信し、ダウンストリーム局（たとえば、ＵＥまたはｅＮＢ）へデータの送信を送ることができるエンティティである。中継局はまた、他のＵＥに対する送信を中継することができるＵＥであり得る。図１に示される例において、中継局１１０ｄは、ｅＮＢ１１０ａとＵＥ１２０ｄとの間の通信を容易にするために、マクロｅＮＢ１１０ａおよびＵＥ１２０ｄと通信し得る。中継局はまた、中継ｅＮＢ、中継基地局、中継器（a relay）等とも呼ばれ得る。
【００２４】
[0035]  ワイヤレスネットワーク１００は、異なるタイプのｅＮＢ、たとえば、マクロｅＮＢ、ピコｅＮＢ、フェムトｅＮＢ、中継ｅＮＢ等を含む異種（heterogeneous）ネットワークであり得る。これらの異なるタイプのｅＮＢは、ワイヤレスネットワーク１００において、異なる送信電力レベル、異なるカバレッジエリア、および干渉に対する異なる影響を有し得る。たとえば、マクロｅＮＢは、高い送信電力レベル（たとえば、５から４０ワットまで）を有し得るのに対して、ピコｅＮＢ、フェムトｅＮＢ、および中継ｅＮＢは、より低い送信電力レベル（たとえば、０．１から２ワットまで）を有し得る。
【００２５】
[0036]  ネットワークコントローラ１３０は、ｅＮＢのセットに結合し得、およびこれらｅＮＢに協調（coordination）およびコントロールを提供し得る。ネットワークコントローラ１３０は、バックホールを介してｅＮＢと通信し得る。ｅＮＢはまた、たとえば、ワイヤレスまたはワイヤライン（wireless or wireline）バックホールを介して直接的または間接的に、互いに通信し得る。
【００２６】
[0037]  ＵＥ１２０（たとえば、１２０ａ、１２０ｂ、１２０ｃ）は、ワイヤレスネットワーク１００全体に分散され（dispersed）、各ＵＥは固定式または移動式であり得る。ＵＥはまた、アクセス端末、端末、移動局、加入者ユニット、局等と呼ばれ得る。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、スマートフォン、ネットブック、スマートブック、ウルトラブック等であり得る。図１において、両方向の矢印の実線は、ＵＥとサービングｅＮＢとの間の所望の送信を示し（indicate）、それは、ダウンリンクおよび／またはアップリンク上でＵＥにサービスする（serve）ように指定されたｅＮＢである。両方向の矢印の破線は、ＵＥとｅＮＢとの間で干渉する可能性がある送信（potentially interfering transmissions）を示す。
【００２７】
[0038]  図２は、基地局／ｅＮＢ１１０およびＵＥ１２０の設計のブロック図を示し、それは、図１における複数の基地局／ｅＮＢのうちの１つおよび複数のＵＥのうちの１つであり得る。基地局１１０は、Ｔ個のアンテナ２３４ａから２３４ｔを装備し（equipped with）得、ＵＥ１２０は、Ｒ個のアンテナ２５２ａから２５２ｒを装備し得、ここで、一般に、Ｔ≧１およびＲ≧１である。
【００２８】
[0039]  基地局１１０において、送信プロセッサ２２０は、１つまたは複数のＵＥのためにデータソース２１２からデータを受信し得、ＵＥから受信されたＣＱＩに基づいてＵＥごとに１つまたは複数の変調およびコーディング方式（ＭＣＳ：modulation and coding scheme）を選択し得、ＵＥのために選択されたＭＣＳ（単数または複数）に基づいてＵＥごとにデータを処理（たとえば、符号化および変調）し得、および全てのＵＥにデータシンボルを提供し得る。送信プロセッサ２２０はまた、システム情報（たとえば、ＳＲＰＩ等に関する）およびコントロール情報（たとえば、ＣＱＩ要求、グラント（grants）、上位レイヤシグナリング等）を処理し得、オーバーヘッドシンボルおよびコントロールシンボルを提供し得る。プロセッサ２２０はまた、基準信号（たとえば、ＣＲＳ）および同期信号（たとえば、ＰＳＳおよびＳＳＳ）に関する基準シンボルを生成し得る。送信（ＴＸ）多入力多出力（ＭＩＭＯ）プロセッサ２３０は、適用可能な場合、データシンボル、コントロールシンボル、オーバーヘッドシンボル、および／または基準シンボルに対して空間処理（spatial processing）（たとえば、プリコーディング）を行い得、Ｔ個の変調器（ＭＯＤ）２３２ａから２３２ｔにＴ個の出力シンボルストリームを提供し得る。各変調器２３２は、出力サンプルストリームを取得するために、それぞれの出力シンボルストリーム（たとえば、ＯＦＤＭ等に関する）を処理し得る。各変調器２３２は、ダウンリンク信号を取得するために、出力サンプルストリームをさらに処理し（たとえば、アナログにコンバートし（convert）、増幅し、フィルタし、およびアップコンバートし（upconvert））得る。変調器２３２ａから２３２ｔからのＴ個のダウンリンク信号は、それぞれ、Ｔ個のアンテナ２３４ａから２３４ｔを介して、送信され得る。
【００２９】
[0040]  ＵＥ１２０において、アンテナ２５２ａから２５２ｒは、基地局１１０および／または他の基地局からダウンリンク信号を受信し得、受信された信号を復調器（ＤＥＭＯＤ）２５４ａから２５４ｒに、それぞれ提供し得る。各復調器２５４は、入力サンプルを取得するために、それの受信された信号を調整し（condition）（たとえば、フィルタし、増幅し、ダウンコンバートし、およびデジタル化し）得る。各復調器２５４は、受信されたシンボルを取得するために、入力サンプル（たとえば、ＯＦＤＭ等に関する）をさらに処理し得る。ＭＩＭＯ検出器２５６は、全てのＲ個の復調器２５４ａから２５４ｒから受信されたシンボルを取得し得、適用可能な場合、受信されたシンボルに対してＭＩＭＯ検出を行い得、検出されたシンボルを提供し得る。受信プロセッサ２５８は、検出されたシンボルを処理し（たとえば、復調および復号し）得、データシンク２６０にＵＥ１２０に関する復号されたデータを提供し得、およびコントローラ／プロセッサ２８０に復号されたコントロール情報およびシステム情報を提供し得る。チャネルプロセッサは、ＲＳＲＰ、ＲＳＳＩ、ＲＳＲＱ、ＣＱＩ等を決定し得る。
【００３０】
[0041]  アップリンク上では、ＵＥ１２０において、送信プロセッサ２６４は、データソース２６２からのデータ、およびコントローラ／プロセッサ２８０からの（たとえば、ＲＳＲＰ、ＲＳＳＩ、ＲＳＲＱ、ＣＱＩ等を備える報告に関する）コントロール情報を受信および処理し得る。プロセッサ２６４はまた、１つまたは複数の基準信号に関して基準シンボルを生成し得る。送信プロセッサ２６４からのシンボルは、適用可能な場合、ＴＸ  ＭＩＭＯプロセッサ２６６によってプリコードされ（precoded）得、変調器２５４ａから２５４ｒによってさらに処理され得（たとえば、ＳＣ−ＦＤＭ、ＯＦＤＭ等に関して）、および基地局１１０に送信され得る。基地局１１０において、ＵＥ１２０によって送られた復号されたデータおよびコントロール情報を取得するために、ＵＥ１２０および他のＵＥからのアップリンク信号は、アンテナ２３４によって受信され得、復調器２３２によって処理され得、適用可能な場合、ＭＩＭＯ検出器２３６によって検出され得、および受信プロセッサ２３８によってさらに処理され得る。プロセッサ２３８は、データシンク２３９に復号されたデータを、およびコントローラ／プロセッサ２４０に復号されたコントロール情報を、提供し得る。基地局１１０は、通信ユニット２４４を含み得、通信ユニット２４４を介してネットワークコントローラ１３０に通信し得る。ネットワークコントローラ１３０は、通信ユニット２９４、コントローラ／プロセッサ２９０、およびメモリ２９２を含み得る。
【００３１】
[0042]  コントローラ／プロセッサ２４０および２８０は、それぞれ、基地局１１０およびＵＥ１２０における動作を指示し得る。たとえば、基地局１１０におけるプロセッサ２４０および／または他のプロセッサおよびモジュールは、図１１に示される直接的な動作１１００を行い得る。同様に、ＵＥ１２０におけるプロセッサ２８０および／または他のプロセッサおよびモジュールは、図１０に示される動作１０００を行い得るまたは指示し得る。メモリ２４２および２８２は、基地局１１０およびＵＥ１２０に関するデータおよびプログラムコードを、それぞれ、記憶し得る。スケジューラ２４６は、ダウンリンクおよび／またはアップリンク上でのデータ送信のためにＵＥをスケジュールし得る。
【００３２】
[0043]  図３は、ＬＴＥにおけるＦＤＤのための例となるフレーム構造３００を示す。ダウンリンクおよびアップリンクの各々のための送信タイムラインは、無線フレームの単位（units）に区分され（partitioned into）得る。各無線フレームは、所定の持続時間（たとえば、１０ミリ秒（ｍｓ））を有し得、０から９のインデックスを有する１０個のサブフレームに区分され得る。各サブフレームは、２つのスロットを含み得る。各無線フレームは、よって、０から１９のインデックスを有する２０個のスロットを含み得る。各スロットは、Ｌ個のシンボル期間、たとえば、（図３に示されるような）ノーマル・サイクリック・プレフィックスのための７つのシンボル期間、または拡張されたサイクリック・プレフィックス（an extended cyclic prefix）のための６つのシンボル期間を含み得る。各サブフレームにおける２Ｌ個のシンボル期間は、０から２Ｌ−１のインデックスを割り当てられ（be assigned）得る。
【００３３】
[0044]  ＬＴＥにおいて、ｅＮＢは、ｅＮＢによってサポートされるセルごとのシステム帯域幅の中心においてダウンリンク上でプライマリ同期信号（ＰＳＳ）およびセカンダリ同期信号（ＳＳＳ）を送信し得る。図３に示されるように、ＰＳＳおよびＳＳＳは、ノーマル・サイクリック・プレフィックスを有する各無線フレームのサブフレーム０および５における、シンボル期間６および５において、それぞれ送信され得る。ＰＳＳおよびＳＳＳは、セルの探索および獲得（cell search and acquisition）のためにＵＥによって使用され得る。ｅＮＢは、ｅＮＢによってサポートされるセルごとのシステム帯域幅にわたって（across）セル固有の基準信号（ＣＲＳ：a cell-specific reference signal）を送信し得る。ＣＲＳは、各サブフレームのある特定のシンボル期間において送信され得、チャネル推定、チャネル品質測定、および／または他の機能を行うためにＵＥによって使用され得る。ｅＮＢはまた、ある特定の無線フレームのスロット１におけるシンボル期間０から３において物理ブロードキャストチャネル（ＰＢＣＨ：a physical broadcast channel）を送信し得る。ＰＢＣＨは、いくつかのシステム情報を搬送し得る。ｅＮＢは、ある特定のサブフレームにおいて物理ダウンリンク共有チャネル（ＰＤＳＣＨ）上でシステム情報ブロック（ＳＩＢ：system information blocks）のような他のシステム情報を送信し得る。ｅＮＢは、サブフレームの最初のＢ個のシンボル期間において物理ダウンリンクコントロールチャネル（ＰＤＣＣＨ）上でコントロール情報／データを送信し得、ここで、Ｂ個はサブフレームごとに構成可能であり得る。ｅＮＢは、各サブフレームの残りの（remaining）シンボル期間においてＰＤＳＣＨ上でトラフィックデータおよび／または他のデータを送信し得る。
【００３４】
[0045]  図４は、ノーマル・サイクリック・プレフィックスを有する２つの例となるサブフレームフォーマット４１０および４２０を示す。利用可能な時間周波数リソースは、リソースブロックに区分され得る。各リソースブロックは、１つのスロットにおいて１２個のサブキャリアをカバーし得、多数のリソースエレメントを含み得る。各リソースエレメントは、１つのシンボル期間において１つのサブキャリアをカバーし得、１つの変調シンボルを送るために使用され得、それは、実数値または複素数値であり得る。
【００３５】
[0046]  サブフレームフォーマット４１０は、２つのアンテナのために使用され得る。ＣＲＳは、シンボル期間０、４、７、および１１においてアンテナ０および１から送信され得る。基準信号は、送信機および受信機によってアプリオリに（a priori）知られている信号であり、またパイロットとも呼ばれ得る。ＣＲＳは、たとえば、セル識別（ＩＤ）に基づいて生成された、セルに固有である（specific for）基準信号である。図４において、ラベルＲａを有する所与のリソースエレメントに関して、変調シンボルは、アンテナａからそのリソースエレメント上で送信され得、いずれの変調シンボルも、他のアンテナからそのリソースエレメント上で送信されないことがある。サブフレームフォーマット４２０は、４本のアンテナと一緒に使用され得る。ＣＲＳは、シンボル期間０、４、７、および１１においてアンテナ０および１から、および、シンボル期間１および８においてアンテナ２および３から、送信され得る。サブフレームフォーマット４１０および４２０の両方に関して、ＣＲＳは、均等に間隔を空けられた（evenly spaced）サブキャリア上で送信され得、それは、セルＩＤに基づいて決定され得る。ＣＲＳは、それらのセルＩＤに依存して、同じかまたは異なるサブキャリア上で送信され得る。サブフレームフォーマット４１０および４２０の両方に関して、ＣＲＳに使用されないリソースエレメントは、データ（たとえば、トラフィックデータ、コントロールデータ、および／または他のデータ）を送信するために使用され得る。
【００３６】
[0047]  ＬＴＥにおけるＰＳＳ、ＳＳＳ、ＣＲＳ、およびＰＢＣＨは、「Evolved Universal Terrestrial Radio Access(E-UTRA); Physical Channels and Modulation」と題された３ＧＰＰ  ＴＳ３６．２１１に説明されており、それは、公に入手可能である。
【００３７】
[0048]  インターレース構造は、ＬＴＥにおけるＦＤＤのためのダウンリンクおよびアップリンクの各々に使用され得る。たとえば、０からＱ−１のインデックスを有するＱ個のインターレースが定義され得、ここで、Ｑは、４、６、８、１０、または他の何らかの値と等しくあり得る。各インターレースは、Ｑ個のフレームだけ相隔てられた（spaced apart）サブフレームを含み得る。特に、インターレースｑは、サブフレームｑ、ｑ＋Ｑ、ｑ＋２Ｑ等を含み得、ここで、ｑ∈｛０，．．．，Ｑ−１｝である。
【００３８】
[0049]  ワイヤレスネットワークは、ダウンリンクおよびアップリンク上でのデータ送信のためのハイブリッド自動再送要求（ＨＡＲＱ：hybrid automatic retransmission request）をサポートし得る。ＨＡＲＱに関して、送信機（たとえば、ｅＮＢ）は、パケットが受信機（たとえば、ＵＥ）によって正確に復号されるまで、または何らかの他の終了（termination）条件に直面する（is encountered）まで、パケットの１つまたは複数の送信を送り得る。同期ＨＡＲＱに関して、パケットの全ての送信は、単一のインターレースのサブフレームにおいて送られ得る。非同期ＨＡＲＱに関して、パケットの各送信は、任意のサブフレームにおいて送られ得る。
【００３９】
[0050]  ＵＥは、複数のｅＮＢのカバレッジ内に位置し（located）得る。これらのｅＮＢのうちの１つは、ＵＥにサービスするために選択され得る。サービングｅＮＢは、受信信号強度、受信信号品質、パスロス等のような様々な基準に基づいて選択され得る。受信信号品質は、信号対雑音および干渉比（ＳＩＮＲ：a signal-to-noise-and-interference ratio）、または、基準信号受信品質（ＲＳＲＱ：a reference signal received quality）、あるいは、何らかの他の測定基準（metric）によって定量化され（quantified）得る。ＵＥは、ＵＥが１つまたは複数の干渉しているｅＮＢからの高い干渉を観察し得る支配的（dominant）干渉シナリオにおいて動作し得る。
【００４０】
[0051]  上述されるように、本開示の複数の態様は、全体のシステム帯域幅の比較的狭い帯域を使用して、マシン型通信（ＭＴＣ）デバイスへコントロールチャネルをシグナリングするための技法を提供する。
【００４１】
[0052]  従来の（traditional）ＬＴＥ設計（たとえば、レガシー「非ＭＴＣ」デバイスに関する）の焦点（focus）は、スペクトル効率の改善、ユビキタスカバレッジ（ubiquitous coverage）、およびエンハンスされたサービス品質（ＱｏＳ）のサポートに対するものである。現在のＬＴＥシステムダウンリンク（ＤＬ）およびアップリンク（ＵＬ）のリンクバジェット（link budgets）は、最新式の（state-of-the-art）スマートフォンおよびタブレットのような、ハイエンドデバイスのカバレッジに関して設計され、それは、比較的大きいＤＬおよびＵＬリンクバジェットをサポートし得る。
【００４２】
[0053]  しかしながら、低コスト、低レートのデバイスも、同様に、サポートされる必要がある。たとえば、ある特定の規格（たとえば、ＬＴＥリリース１２）は、一般に、低コスト設計またはマシン型通信を対象とする、新しいタイプのＵＥ（カテゴリ０のＵＥと呼ばれる）を導入した。一般に、ＭＴＣ  ＵＥと呼ばれる、マシン型通信（ＭＴＣ）または低コストのＵＥに関して、限定された量の情報のみが交換される必要があり得るので、様々な要件が緩和され（relaxed）得る。たとえば、最大帯域幅は、（レガシーＵＥに対して）低減され得、単一の受信無線周波数（ＲＦ）チェーン（a single receive radio frequency (RF) chain）は、使用され得、ピークレートは低減され得（たとえば、トランスポートブロックサイズに関して最大１００ビット）、送信電力は、低減され得、ランク１（Rank 1）送信は、使用され得、および、半二重（half-duplex）動作は、行われ得る。
【００４３】
[0054]  いくつかの場合において、半二重動作が行われる場合、ＭＴＣ  ＵＥは、送信することから受信することへ（または受信することから送信することへ）推移する（transition）ための緩和された切り替え時間（a relaxed switching time）を有し得る。たとえば、その切り替え時間は、通常のＵＥのための２０μｓから、ＭＴＣ  ＵＥのための１ｍｓに、緩和され得る。リリース１２のＭＴＣ  ＵＥは、依然として、通常のＵＥと同じように、ダウンリンク（ＤＬ）コントロールチャネルをモニタし得、たとえば、比較的狭帯域を占有するが、サブフレームの長さに及ぶ（spanning）狭帯域のコントロールチャネル（たとえば、ｅＰＤＣＣＨ）と同様に、最初の数個のシンボルにおける広帯域のコントロールチャネル（たとえば、ＰＤＣＣＨ）をモニタする。
【００４４】
[0055]  ある特定の規格（たとえば、ＬＴＥリリース１３）は、エンハンスされたＭＴＣ（またはｅＭＴＣ）と本明細書で呼ばれる様々な追加的なＭＴＣのエンハンスメントのためのサポートを導入し得る。たとえば、ｅＭＴＣは、１５ｄＢまでのカバレッジのエンハンスメントを有するＭＴＣ  ＵＥを提供し得る。
【００４５】
[0056]  図５のサブフレーム構造５００において例示されるように、ｅＭＴＣ  ＵＥは、より広いシステム帯域幅（たとえば、１．４／３／５／１０／１５／２０ＭＨｚ）において動作しながら、狭帯域の帯域幅の動作をサポートできる。図５に例示される例において、従来の（conventional）レガシーコントロール領域５１０は、最初の数個のシンボルのシステム帯域幅に及び（span）得、一方で、システム帯域幅の狭帯域領域５３０（データ領域５２０の狭い部分に及ぶ）は、ＭＴＣ物理ダウンリンクコントロールチャネル（本明細書において、ｍＰＤＣＣＨと呼ばれる）のためにおよびＭＴＣ物理ダウンリンク共有チャネル（本明細書において、ｍＰＤＳＣＨと呼ばれる）のためにリザーブされ（reserved for）得る。いくつかの場合において、狭帯域領域をモニタするＭＴＣ  ＵＥは、１．４ＭＨｚまたは６つの物理リソースブロック（ＰＲＢ）において動作し得る。ＰＲＢは、持続時間における（in duration）１つのスロットに関して、１２個の連続した（consecutive）サブキャリアを備え得る。
【００４６】
[0057]  しかしながら、上述されるように、ｅＭＴＣ  ＵＥは、６つのＲＢよりも大きい帯域幅を有するセルにおいて動作することが可能であり得る。このより大きい帯域幅内で、各ｅＭＴＣ  ＵＥは、６ＰＲＢの制約（a 6-PRB constraint）に従う（abiding by）間、依然として、動作（たとえば、モニタ／受信／送信）し得る。いくつかの場合において、異なるｅＭＴＣ  ＵＥは、（たとえば、各々が、６ＰＲＢのブロックに及んで（with each spanning 6-PRB blocks））異なる狭帯域領域によってサービスされ得る。
【００４７】
[0058]  リリース１１において、エンハンスされた物理ダウンリンクコントロールチャネル（ePDCCH：an enhanced physical downlink control channel）は、導入された。１つのサブフレームにおいて最初の数個のシンボルに及ぶＰＤＣＣＨと対照的に、ｅＰＤＣＣＨは、周波数分割多重化（ＦＤＭ：frequency division multiplexing）に基づき、および全部のサブフレーム（のシンボル）に及ぶ。追加的に、従来のＰＤＣＣＨ  ＣＲＳサポートと比較すると、ｅＰＤＣＣＨは、復調基準信号（ＤＭ−ＲＳ：demodulation reference signals）をサポートすることのみ行い得る。
【００４８】
[0059]  いくつかの場合において、ｅＰＤＣＣＨは、ＵＥ固有に構成され得る。たとえば、ネットワークにおける各ＵＥは、ｅＰＤＣＣＨに関してリソースの異なるセットをモニタするように構成され得る。追加的に、ｅＰＤＣＣＨは、以下の動作の２つのモードをサポートする：局所型ｅＰＤＣＣＨ、それにおいて、単一のプリコーダ（a single precoder）は、各ＰＲＢに適用される、および分散型ｅＰＤＣＣＨ、それにおいて、２つのプリコーダ（two precoders）は、各ＰＲＢペア内で割り当てられた（allocated）リソースを周期的に繰り返す（cycle through）。
【００４９】
[0060]  ｅＰＤＣＣＨは、複数のエンハンスされたリソースエレメントグループ（ｅＲＥＧ：enhanced resource element groups）および複数のエンハンスされたコントロールチャネルエレメント（ｅＣＣＥ：enhanced control channel element）に基づいて組み立てられ（constructed）得る。一般に、ｅＲＥＧは、ＤＭ−ＲＳ  ＲＥを排除することに基づいて定義され、ＤＭ−ＲＳの最大量（たとえば、ノーマル・サイクリック・プレフィックスに関して２４個のＤＭ−ＲＳ  ＲＥ、および拡張されたサイクリック・プレフィックスに関して１６個のＤＭ−ＲＳ  ＲＥ）を想定し、および任意の非ＤＭ−ＲＳ  ＲＥ（non-DM-RS RE）（たとえば、ＤＭ−ＲＳを搬送しないＲＥ）を含む。従って、ノーマル・サイクリック・プレフィックスに関して、ｅＰＤＣＣＨに利用可能なＲＥの数は、１４４であり（１２個のサブキャリアｘ１４個のシンボル−２４個のＤＭ−ＲＳ＝１４４個のＲＥ）、拡張されたサイクリック・プレフィックスに関して、ｅＰＤＣＣＨに利用可能なＲＥの数は、１２８である（１２個のサブキャリア＊１２個のシンボル−１６個のＤＭ−ＲＳ＝１２８個のＲＥ）。
【００５０】
[0061]  いくつかの場合において、ＰＲＢペアは、サブフレームタイプ、サイクリック・プレフィックスタイプ、ＰＲＢペアインデックス、サブフレームインデックス等に関わらず、１６個のｅＲＥＧに分割（divided into）される。このように、ノーマル・サイクリック・プレフィックスに関して、ｅＲＥＧごとに９つのＲＥがあり、および拡張されたサイクリック・プレフィックスに関して、ｅＲＥＧごとに８つのＲＥがある。いくつかの場合において、ｅＲＥＧ−ＲＥマッピング（eREG to RE mapping）は、周期的／連続的および第１に周波数、第２に時間の方式（a cyclic/sequential and frequency-first-time-second manner）に従い得、それは、ｅＲＥＧごとに利用可能なＲＥの数を等しくすること（equalizing）にとって有益であり（beneficial）得る。追加的に、他の信号の存在に起因して、ｅＰＤＣＣＨに利用可能なＲＥの数は、固定されないことがあり、ＰＲＢペアにおける異なるｅＲＥＧに関して異なることができる。
【００５１】
[0062]  図６は、１つのＰＲＢペアにおいて、連続的に定義される１６個のｅＲＥＧを例示するＲＥの例となる時間／周波数グリッドを示し、ＤＭ−ＲＳ  ＲＥを排除する。例示されるように、ｅＲＥＧ−ＲＥマッピングは、第１に周波数、次いで時間の方式（a frequency-first, then time manner）で、連続して（sequentially）各ｅＲＥＧのＲＥをマッピングし得る。すなわち、ＲＥ（０，０）で始まり（starting）、ｅＲＥＧインデックスは、トーン（tone）インデックスを増加させ、次いで、シンボルインデックスを増加させることによって連続して増加する。各ＲＥと関連付けられた数は、ｅＲＥＧインデックス（０−１５）を意味する（denotes）。たとえば、図６における９つの「１５」は、ｅＲＥＧインデックス１５を作り上げる（make up）９つのＲｅ（9 Res）である。上述されるように、ｅＲＥＧごとのＲＥの数は、ノーマル・サイクリック・プレフィックスに関して、９に固定され（fixed）得る。追加的に、図示されるように、２４個のＤＭ−ＲＳ  ＲＥは、いずれのｅＲＥＧとも関連付けられない。
【００５２】
[0063]  いくつかの場合において、ｅＣＣＥごと（per）のｅＲＥＧの数は、４または８のいずれかであり得る。ノーマル・サイクリック・プレフィックスが使用され、およびノーマルサブフレームまたは特別な（special）サブフレーム構成３、４、または８（たとえば、ＲＥ／ＰＲＢペアの数が大きいとき）が使用される場合、ｅＣＣＥごと（per）のｅＲＥＧの数は、４（Ｎ＝４）であり得、それは、ＰＲＢペアごとの４つのｅＣＣＥに対応する。さもなければ、ｅＣＣＥごと（per）のｅＲＥＧの数は、８であり得る（Ｎ＝８）。
【００５３】
[0064]  いくつかの場合において、ｅＣＣＥは、ｅＲＥＧのグルーピング概念（an eREG grouping concept）にさらに基づき得る。たとえば、局所型か分散型ｅＰＤＣＣＨかに関わらず、４つのｅＲＥＧのグループ：グループ＃０：ｅＲＥＧ｛０，４，８，１２｝；グループ＃１：ｅＲＥＧ｛１，５，９，１３｝；グループ＃２：ｅＲＥＧ｛２，６，１０，１４｝；グループ＃３：ｅＲＥＧ｛３，７，１１，１５｝は、形成され得、ここで、中括弧の内側の数は、図６で図示されるｅＲＥＧのインデックスを示す。いくつかの場合において、ｅＣＣＥが４つのｅＲＥＧによって形成されるとき、ｅＣＣＥは、１つのｅＲＥＧのグループによって形成され得る。追加的に、ｅＣＣＥが８つのｅＲＥＧによって形成されるとき、ｅＣＣＥは、２つのｅＲＥＧグループによって形成され得、それは、グループ番号０および２、または１および３のいずれかであり得る。
【００５４】
[0065]  いくつかのシナリオにおいて、ｅＲＥＧグループのｅＲＥＧのロケーション（location）は、ｅＰＤＣＣＨのモードに依存し得る。たとえば、局所型ｅＰＤＣＣＨに関して、同じグループのｅＲＥＧは、常に、同じＰＲＢペアから来る（come from）ことが可能である。分散型ｅＰＤＣＣＨに関して、同じグループのｅＲＥＧは、異なるＰＲＢペアから来ることが可能である。詳細なマッピングは、ｅＰＤＣＣＨに関して構成されたＰＲＢペアの数に依存する。
【００５５】
[0066]  図７Ａにおいて例示されるように、局所型ｅＰＤＣＣＨに関して、各ｅＣＣＥは、１つのＰＲＢペア（たとえば、例示されるように、単一のＰＲＢペアｊ）内において、定義され得る。たとえば、図７Ａにおいて例示される各異なるパターンは、各ボックスにおける値がｅＲＥＧのインデックスを表す１つのｅＣＣＥを表し得る。たとえば、図示されるように、ｅＲＥＧの番号０、４、８、および１２は、同じパターンを有し、それは、グループ＃０を表す。
【００５６】
[0067]  図７Ｂにおいて例示されるように、分散型ｅＰＤＣＣＨに関して、各ｅＣＣＥは、異なるＰＲＢペア（たとえば、ＰＲＢペア０−３）にわたって定義され得る。たとえば、図７Ｂにおいて例示されるように、ｅＣＣＥ＃０は、ＰＲＢペア０のｅＲＥＧ０、ＰＲＢペア１のｅＲＥＧ４、ＰＲＢペア２のｅＲＥＧ８、およびＰＲＢペア３のｅＲＥＧ１２から成る（consists of）。図７Ｂにおいて例示される４つのＰＲＢペアは、周波数において隣接しない（not be contiguous in frequency）ことがある（たとえば、ＰＲＢペアは、周波数分散（frequency distributed）され得る）。
【００５７】
[0068]  図８において例示されるように、ｅＲＥＧの設計と同様に、ｅＰＤＣＣＨに関してｅＣＣＥごとに利用可能なＲＥの数は、固定されないことがあり、異なるｅＣＣＥに関して異なり得る。しかしながら、図９において例示されるように、ｅＲＥＧのグルーピングに基づくｅＣＣＥの定義（an eREG grouping based eCCE definition）は、ｅＣＣＥごとに利用可能なＲＥの数を等しくすることを手助けする可能性があり（potentially help）得、２つのＣＲＳポート、ノーマル・サイクリック・プレフィックス、およびノーマルサブフレームを想定する。
【００５８】
[0069]  いくつかの場合において、各ＵＥは、２つのｅＰＤＣＣＨリソースセット（Ｋ＝２）までで構成され得、ここで、各リソースセットは、Ｍ＝２、４、または８つのＰＲＢペアで別々に構成され得る。追加的に、各ｅＰＤＣＣＨリソースセットは、局所型または分散型モードのいずれかで別々に構成され得る。
【００５９】
[0070]  いくつかの場合において、局所型ｅＰＤＣＣＨの探索空間に関して、所与のアグリゲーションレイヤ（ＡＬ：aggregation layer）の候補は、ｅＰＤＣＣＨに関するサブバンドスケジューリング（sub-band scheduling）をできるだけ多く活用する（exploit）ように、可能な限り多くの異なるＰＲＢペアにおいて間隔を空けられ得る。他方では、分散型ｅＰＤＣＣＨに関する探索空間は、レガシーＰＤＣＣＨと同様であり得る。いくつかの場合において（たとえば、ＬＴＥリリース１１に関して）、ＵＥに既知の他の信号によって占有されたＲＥ（たとえば、レガシーコントロール領域、ＣＲＳ、ＵＥ固有に構成されたＣＳＩ−ＲＳ）は、ｅＰＤＣＣＨに合わせてレートマッチングされ（rate-matched around）得る。
【００６０】
[0071]  上述されるように、通常のＵＥに関して、ｅＰＤＣＣＨリソースセットは、２つ、４つ、または８つのＰＲＢペアで構成され得る。しかしながら、ある特定のＭＴＣ  ＵＥは、たとえば、６つのＰＲＢペアを使用して、狭帯域において動作するように構成され得、それは、複数の定義されたｅＰＤＣＣＨのリソースセットの構成（defined ePDCCH resource set configurations）のうちの１つにマッチ（match）しないことがある。しかしながら、本開示の複数の態様は、現在のｅＰＤＣＣＨリソースセットにマッチしないそのような狭帯域を使用して、コントロールチャネル上で通信をするための解決策を提供する。
【００６１】
[0072]  図１０は、ＭＴＣまたはｅＭＴＣ  ＵＥ（たとえば、複数のＵＥ１２０のうちの１つまたは複数）のような、ユーザ機器（ＵＥ）によって行われ得る例となる動作１０００を例示する。動作１０００は、１００２において、サブフレーム内において、狭帯域サイズを表す第１の数の物理リソースブロック（ＰＲＢ）を占有する、ダウンリンクコントロールチャネルに関してモニタするための第１の探索空間を識別することによって、開始する。ある特定の複数の態様によると、ダウンリンクコントロールチャネルは、マシン型通信物理ダウンリンクコントロールチャネル（ｍＰＤＣＣＨ）を備え得る。１００４において、ＵＥは、サブフレームにおいて送信されたダウンリンクコントロールチャネルに関して少なくとも第１の探索空間をモニタする。ＵＥは、モニタすることに少なくとも部分的に基づいてサブフレームにおいて送信されたダウンリンクコントロールチャネルを受信する（図示せず）。いくつかの態様において、受信することは、１つのサブフレームまたはサブフレームのセット（たとえば、サブフレームのセットは、２つ以上のサブフレームを備える）を使用して、ダウンリンクコントロールチャネル上で情報を受信することを備える。
【００６２】
[0073]  図１１は、ＭＴＣまたはｅＭＴＣ  ＵＥのような、ユーザ機器（ＵＥ）と通信するための、基地局（ＢＳ）（たとえば、ＢＳ１１０）によって行われ得る例となる動作１１００を例示する。動作１１００は、図１０の動作１０００と相補的である（complementary to）と考えられ得る。
【００６３】
[0074]  動作１１００は、１１０２において、サブフレーム内において、狭帯域サイズを表す第１の数の物理リソースブロック（ＰＲＢ）を占有する、ダウンリンクコントロールチャネルに関してモニタするための、ユーザ機器（ＵＥ）に関する第１の探索空間を識別することによって、開始する。１１０４において、ＢＳは、第１の探索空間において、ＵＥに、１つまたは複数のダウンリンクコントロールチャネルを送信する。いくつかの態様において、送信することは、１つのサブフレームまたはサブフレームのセット（たとえば、サブフレームのセットは、２つ以上のサブフレームを備える）を使用して、１つまたは複数のダウンリンクコントロールチャネル上で情報を送信することを備える。
【００６４】
[0075]  下記の例は、６つのＰＲＢの狭帯域サイズを想定する。当業者は、しかしながら、これらは単に例であり、本明細書において提示される技法は、より広いシステム帯域幅の異なるサイズの狭帯域領域（たとえば、狭帯域サイズ）に、より広範に（broadly）適用され得ることを認識するであろう。複数の態様において、狭帯域領域のサイズは、ＵＥのカテゴリまたはＵＥの性能（capability）に依存し得る。たとえば、ＭＴＣ型ＵＥは、非ＭＴＣ  ＵＥ（non-MTC UE）よりも帯域幅の小さい領域を使用して、通信し得る。
【００６５】
[0076]  本明細書で使用される場合、復号候補（decoding candidate）という用語は、一般に、復号されることになるチャネル（たとえば、ダウンリンクコントロールチャネル）を搬送し得る、探索空間内におけるリソースの離散セット（a discrete set of resources）を指す。従って、探索空間は、典型的に、多数の異なる復号候補を収容し、その数は、（復号候補のサイズおよび復号候補はオーバーラップする（overlap）ことが許可されるかどうかのような）様々なファクタ（factors）に依存する。下記により詳細に説明されるように、本開示の複数の態様は、コントロールチャネルを送信するための、各々が対応する復号候補を有する、異なる探索空間のオプションを提供する。従って、探索空間のオプションに依存して、基地局は、コントロールチャネルを送信するための、利用可能な復号候補から選択し、一方で、ＵＥは、次いで、各探索空間の異なる見込まれる（possible）復号候補を、それに応じて、モニタする。
【００６６】
[0077]  図１２において例示されるように、６ＰＲＢに基づく探索空間を利用するコントロールチャネル上で通信を許可する（allow for）ための１つの解決策は、全ての６つのＰＲＢを占有するもう１つの候補１２２０と同様に、２つのＰＲＢの探索空間および／または４つのＰＲＢの探索空間１２１０に対応する全ての復号候補をＭＴＣ  ＵＥにモニタさせることであり得る。これは、いくつかのＵＥが２ＰＲＢおよび／または４ＰＲＢの探索空間を共有し得ることを意味し得る一方で、残りのＰＲＢがＵＥ  ｍＰＤＣＣＨのために使用される場合、全部の６つのＰＲＢは、ｍＰＤＣＣＨのために使用される。
【００６７】
[0078]  従って、１００４においてモニタすることは、第１の数のＰＲＢ（たとえば、６つのＰＲＢ）に及ぶダウンリンクコントロールチャネル復号候補に関して、第１の探索空間をモニタすること、およびまた、第２および／または第３の探索空間に及ぶダウンリンクコントロールチャネル復号候補に関して、第２の探索空間または第３の探索空間のうちの少なくとも１つをモニタすることを備え得る。複数の態様において、第１の探索空間は、６つのＰＲＢを備え得、および第２および／または第３の探索空間は、１つ、２つ、または４つのＰＲＢを備え得る。追加的に、複数の態様において、第２および／または第３の探索空間は、別のダウンリンクコントロールチャネル（たとえば、エンハンス物理ダウンリンクコントロールチャネル（ePDCCH））によって占有されたＰＲＢを備え得る。
【００６８】
[0079]  対応して、送信すること（１１０４）は、第１の数のＰＲＢに及ぶダウンリンクコントロールチャネル復号候補に対応する第１の探索空間におけるリソースを使用して、または第１の数のＰＲＢよりも少ない数のＰＲＢに及ぶダウンリンクコントロールチャネル復号候補に対応する第２の探索空間または第３の探索空間のうちの少なくとも１つにおけるリソースを使用して、複数のダウンリンクコントロールチャネルのうちの１つまたは複数を送信することを備え得る。
【００６９】
[0080]  追加的に、ある特定の複数の態様によると、第１の探索空間（たとえば、上述されるように、６つのＰＲＢを占有する探索空間）は、第２および第３の探索空間（たとえば、２ＰＲＢおよび４ＰＲＢの探索空間）の組み合わせを備え得る。従って、いくつかの場合において、モニタすること１００４は、第２および第３の探索空間の両方におけるリソースで、基地局によって送信された（たとえば、１１０４において）、復号候補に関して第１の探索空間をモニタすることを備え得る。いくつかの場合において、第１の探索空間は、単一の復号候補を備え得る。
【００７０】
[0081]  ある特定の複数の態様によると、ダウンリンクコントロールチャネル（たとえば、ｍＰＤＣＣＨ）は、サブフレームのセット（たとえば、２つ以上のサブフレーム）を使用して送信され得る。この場合において、モニタすること（１００４）は、ｍＰＤＣＣＨに関してサブフレームのセットをモニタすることを備え得、ここにおいて、モニタするためのサブフレームのセットは、サービングネットワーク（たとえば、ＵＥのサービング基地局）から受信された表示に少なくとも部分的に基づいて決定され／識別される。すなわち、ＵＥのサービング基地局は、ＵＥに、ＵＥがｍＰＤＣＣＨに関してモニタすべきサブフレームのセットの表示（indication）を送信し得る。
【００７１】
[0082]  ６ＰＲＢに基づく探索空間（a six-PRB-based search space）を使用するコントロールチャネル上での通信を許可するための別の解決策は、図１３において例示されるように、６ＰＲＢに基づく探索空間を、４ＰＲＢの探索空間１３１０と２ＰＲＢに基づく探索空間１３２０の直接的な組み合わせとして定義するものであり得る。たとえば、４ＰＲＢブロックまたは２ＰＲＢブロックで（with）、ｍＲＥＧ／ｍＣＣＥ（たとえば、ＭＴＣリソースエレメントグループおよびＭＴＣコントロールチャネルエレメント、それぞれ）は、ｅＰＤＣＣＨのｅＲＥＧ／ｅＣＣＥと同様に定義され得る。しかしながら、ｍＰＤＣＣＨの探索空間は、２つのブロックからのｍＣＣＥに基づいて定義され得る。たとえば、ｍＰＤＣＣＨの探索空間は、図１３において例示されるように、合計２４個のｍＣＣＥに基づいて定義され得る。
【００７２】
[0083]  ある特定の複数の態様によると、１つの復号候補は、２つのブロックからのＣＣＥを有し得る。たとえば、アグリゲーションレベル（aggregation level）１６の候補は、第１のブロックからの８つのＣＣＥを有し得、および第２のブロックからの８つのＣＣＥを有し得る。ある特定の複数の態様によると、ＣＣＥのインデックス付け（indexing）は、たとえば、２ＰＲＢに基づく探索空間によって最初に後続される４ＰＲＢに基づく探索空間を、または４ＰＲＢに基づく探索空間によって最初に後続される２ＰＲＢに基づく探索空間を、インデックス付けすることによって、事前に定義され得る。ある特定の複数の態様によると、異なるＵＥは、異なるインデックス付けスキームまたは同じインデックス付けスキームを有し得る。
【００７３】
[0084]  よって、モニタすること（１００４）は、事前に定義されたＣＣＥのインデックスに従って、２つのブロック（たとえば、２ＰＲＢの探索空間および４ＰＲＢの探索空間）からのＣＣＥを有する復号候補に関してモニタすることを備え得る。すなわち、モニタすること（１００４）は、第１の探索空間のサイズに基づくリソースエレメントグループ（ＲＥＧ）へのＣＣＥのマッピングを使用して、第１の探索空間（たとえば、２ＰＲＢの探索空間と４ＰＲＢの探索空間の組み合わせ）内で探索すること（searching）を備え得る。いくつかの場合において、第１の探索空間は、第２の探索空間に対応する第１のサイズのコントロールチャネルエレメント（ＣＣＥ）の第１のセットおよび第３の探索空間に対応する単一のＣＣＥに分割される。
【００７４】
[0085]  ある特定の複数の態様によると、４ＰＲＢと２ＰＲＢに基づく探索空間の直接的な組み合わせによって、６ＰＲＢに基づく探索空間を定義することは、ｅＰＤＣＣＨのより良い共有を可能にし得る。
【００７５】
[0086]  図１４において例示されるように、６ＰＲＢに基づく探索空間を使用するコントロールチャネル上での通信を許可するための別の解決策は、２つのｍＰＤＣＣＨリソースセット（たとえば、２ＰＲＢの探索空間１４１０および４ＰＲＢの探索空間１４２０）で構成されたＵＥを有することであり得る。この場合において、ＵＥは、各リソースセット内において別々に定義された復号候補、およびまた、全部の６ＰＲＢに及ぶもう１つの復号候補１４３０をモニタすることが要され得る。たとえば、図１４において例示されるように、ＵＥは、２つのＰＲＢに基づく第１のｍＰＤＣＣＨの探索空間、４つのＰＲＢに基づく第２のｍＰＤＣＣＨの探索空間、および全部の６ＰＲＢを使用する別の探索空間において復号候補をモニタするように設計され得る。言い換えれば、合計ｍＰＤＣＣＨのリソースセットのサイズが、６ＰＲＢであるとき、６ＰＲＢ候補は可能である（possible）。従って、ある特定の複数の態様によると、送信すること（１１０４）は、第１の探索空間（たとえば、２ＰＲＢの探索空間）、第２の探索空間（たとえば、４ＰＲＢの探索空間）、および第３の探索空間（たとえば、６ＰＲＢの探索空間）の各々の内のダウンリンクコントロールチャネル復号候補の複数の異なるセットに従って、ｍＰＤＣＣＨを送信することを備え得る。追加的に、モニタすること（１００４）は、第１、第２、および第３の探索空間の各々の内で、ダウンリンクコントロールチャネル復号候補に関してモニタすることを備え得る。
【００７６】
[0087]  いくつかの場合において、６ＰＲＢに基づく探索空間を使用してコントロールチャネル上で通信するために、ｍＣＣＥ−ｍＲＥＧマッピング（an mCCE to mREG mapping）（たとえば、６つのＰＲＢに基づく）は、定義され得る。
【００７７】
[0088]  図１５において例示されるように、６ＰＲＢに基づく探索空間上での通信のための１つの解決策は、４ＰＲＢの探索空間１５１０を探索し、およびその探索空間の一部として、単一の大きい（「特大の」）（“jumbo”）ＣＣＥ１５２０として、２ＰＲＢのブロックを扱うこと（treat）であり得る。この大きいＣＣＥ１５２０は、（たとえば、４ＰＲＢの探索空間１５１０の）通常に定義されたｍＣＣＥと組み合され得る。たとえば、ＵＥは、全ての６ＰＲＢに関して、ｍＣＣＥ１５および大きいｍＣＣＥ１６またはｍＣＣＥ０−１５および大きいｍＣＣＥ１６を使用して、復号候補をモニタし得る。
【００７８】
[0089]  上述されるように、本開示の複数の態様は、全体のシステム帯域幅の比較的狭帯域を使用して、マシン型通信（ＭＴＣ）デバイスへコントロールチャネルをシグナリングするための様々な技法を提供する。
【００７９】
[0090]  本明細書で使用される場合、項目のリスト「のうちの少なくとも１つ」を指すフレーズは、単一のメンバー（single members）を含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図される。
【００８０】
[0091]  上記で説明された方法の様々な動作は、対応する機能を行うことが可能である任意の適した手段によって行われ得る。手段は、回路、特定用途向け集積回路（ＡＳＩＣ）、またはプロセッサを含むがそれらに限定されるわけではない、様々なハードウェアおよび／またはソフトウェア／ファームウェアコンポーネント（単数または複数）および／またはモジュール（単数または複数）を含み得る。一般に、図に例示される動作が存在する場合、それら動作は、任意の適切な対応する相当する（any suitable corresponding counterpart）ミーンズプラスファンクション（means-plus-function）コンポーネントによって実行され得る。
【００８１】
[0092]  たとえば、識別するための手段および／またはモニタするための手段は、図２において例示されるユーザ端末１２０の受信プロセッサ２５８および／またはコントローラ／プロセッサ２８０、および／または図２において例示される基地局１１０の送信プロセッサ２２０および／またはコントローラ／プロセッサ２４０のような、１つまたは複数のプロセッサを含み得る。受信するための手段は、図２において例示されるユーザ端末１２０の受信プロセッサ（たとえば、受信プロセッサ２５８）および／またはアンテナ（単数または複数）２５２を備え得る。送信するための手段は、図２において例示されるｅＮＢ１１０の送信プロセッサ（たとえば、送信プロセッサ２２０）および／またはアンテナ（単数または複数）２３４を備え得る。
【００８２】
[0093]  当業者は、情報および信号が、様々な異なる技術および技法のうちのいずれかを使用して表わされ得ることを理解するであろう。たとえば、上記の説明を通して参照され得る、データ、命令、コマンド、情報、信号、ビット、シンボル、およびチップは、電圧、電流、電磁波、磁場あるいは磁気粒子、光学場または光学粒子、あるいはそれらの任意の組み合わせによって表わされ得る。
【００８３】
[0094]  当業者はさらに、本明細書の開示に関連して説明された様々な例示的な論理ブロック、モジュール、回路、およびアルゴリズムのステップが、電子ハードウェア、ソフトウェア／ファームウェア、またはそれらの組み合わせとしてインプリメントされ得ることを認識するだろう。ハードウェアおよびソフトウェア／ファームウェアのこの互換性を明確に例示するために、様々な例示的なコンポーネント、ブロック、モジュール、回路、およびステップが、一般にそれらの機能性の観点から上記で説明されてきた。このような機能が、ハードウェアとしてインプリメントされるか、またはソフトウェア／ファームウェアとしてインプリメントされるかは、特定の用途およびシステム全体に課せられる設計制約に依存する。当業者は、説明された機能を、特定の用途ごとにさまざまな方法でインプリメントし得るが、そのようなインプリメンテーション（implementation）の決定（decisions）は、本開示の範囲からの逸脱を引き起こしていると解釈されるべきではない。
【００８４】
[0095]  本明細書の開示と関連して説明される、様々な例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）または他のプログラマブル論理デバイス、離散ゲートまたはトランジスタ論理、離散ハードウェアコンポーネント、あるいは、本明細書に説明された機能を行うように設計されたそれらの任意の組み合わせでインプリメントされまたは行われ得る。汎用プロセッサは、マイクロプロセッサであり得るが、代替において、このプロセッサは、任意の従来のプロセッサ、コントローラ、マイクロコントローラ、またはステートマシンであり得る。プロセッサはまた、たとえば、ＤＳＰとマイクロプロセッサの組み合わせ、複数のマイクロプロセッサ、ＤＳＰコアと連結した１つまたは複数のマイクロプロセッサ、または任意の他のそのような構成のような、コンピューティングデバイスの組み合わせとしてインプリメントされ得る。
【００８５】
[0096]  本明細書における開示に関連して説明された方法またはアルゴリズムのステップは、直接的にハードウェアにおいて、プロセッサによって実行されたソフトウェア／ファームウェアモジュールにおいて、またはそれらの組み合わせにおいて具現化され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ、レジスタ、ハードディスク、リムーバブルディスク、ＣＤ−ＲＯＭ、または当該技術分野において既知の任意の他の形態の記憶媒体内に存在し得る。例示的な記憶媒体は、プロセッサが、記憶媒体から情報を読み取り、および記憶媒体に情報を書き込むことができるようにプロセッサに結合される。代替において、記憶媒体は、プロセッサと一体化され得る。プロセッサおよび記憶媒体は、ＡＳＩＣ中に存在し得る。ＡＳＩＣは、ユーザ端末中に存在し得る。代替において、プロセッサおよび記憶媒体は、ユーザ端末中に離散コンポーネント（discrete components）として存在し得る。
【００８６】
[0097]  １つまたは複数の例となる設計において、説明された機能は、ハードウェア、ソフトウェア／ファームウェア、またはそれらの組み合わせにおいてインプリメントされ得る。ソフトウェア／ファームウェアにおいてインプリメントされる場合、機能は、１つまたは複数の命令またはコードとしてコンピュータ読み取り可能な媒体上に記憶され得、または１つまたは複数の命令またはコードとしてコンピュータ読み取り可能な媒体を介して送信され得る。コンピュータ読み取り可能な媒体は、１つの場所から別の場所へのコンピュータプログラムの転送を容易にする何れの媒体も含む通信媒体と、コンピュータ記憶媒体との両方を含む。記憶媒体は、汎用または専用コンピュータによってアクセスされることができる任意の利用可能な媒体であり得る。限定ではなく例として、そのようなコンピュータ読み取り可能な媒体は、ＲＡＭ、ＲＯＭ、ＥＰＲＯＭ、ＥＥＰＲＯＭ、フラッシュメモリ、相変化メモリ、ＣＤ／ＤＶＤまたは他の光ディスク記憶装置、磁気ディスク記憶装置または他の磁気記憶デバイス、あるいは命令またはデータ構造の形態で所望のプログラムコード手段を搬送または記憶するために使用されることができ、汎用または専用コンピュータ、または汎用または専用プロセッサによってアクセスされることができる任意の他の媒体を備えることができる。また、いずれの接続も、適切に、コンピュータ読み取り可能な媒体と称される。たとえば、ソフトウェア／ファームウェアが、同軸ケーブル、光ファイバーケーブル、ツイストペア、デジタル加入者回線（「ＤＳＬ」）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、本明細書で使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）、およびＢｌｕ−ｒａｙ（登録商標）ディスク（disc）を含み、ここで、ディスク（disk）は通常、磁気的にデータを再生し、一方でディスク（disc）は、レーザーを用いて光学的にデータを再生する。上記の組み合わせはまた、コンピュータ読み取り可能な媒体の範囲内に含まれるべきである。
【００８７】
[0098]  本開示の先の説明は、当業者が本開示を製造または使用することを可能にするために提供される。本開示に対する様々な修正は、当業者にとって容易に明らかとなり、本明細書で定義された包括的な原理は、本開示の精神または範囲から逸脱することなしに他の変形例に適用され得る。よって、本開示は、本明細書で説明される例および設計に限定されるように意図されたものではなく、本明細書で開示された原理および新規の特徴と一致する最も広い範囲が付与されるべきである。
【図１】
2020043593.tif 000003
【図２】
2020043593.tif 000004
【図３】
2020043593.tif 000005
【図４】
2020043593.tif 000006
【図５】
2020043593.tif 000007
【図６】
2020043593.tif 000008
【図７Ａ】
2020043593.tif 000009
【図７Ｂ】
2020043593.tif 000010
【図８】
2020043593.tif 000011
【図９】
2020043593.tif 000012
【図１０】
2020043593.tif 000013
【図１１】
2020043593.tif 000014
【図１２】
2020043593.tif 000015
【図１３】
2020043593.tif 000016
【図１４】
2020043593.tif 000017
【図１５】
2020043593.tif 000018
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
サブフレーム内において、狭帯域サイズを表す第１の数の物理リソースブロック（ＰＲＢ）に及ぶ第１の探索空間を識別することと、
第１のダウンリンクコントロールチャネル復号候補に関して前記第１の探索空間をモニタすることと、
第２のダウンリンクコントロールチャネル復号候補に関して、第２の数のＰＲＢに及ぶ第２の探索空間をモニタすることと、ここにおいて、前記第２の数のＰＲＢは、前記第１の数のＰＲＢよりも少なく、
第３のダウンリンクコントロールチャネル復号候補に関して、第３の数のＰＲＢに及ぶ第３の探索空間をモニタすることと、ここにおいて、前記第３の数のＰＲＢは、前記第１の数のＰＲＢおよび前記第２の数のＰＲＢよりも少なく、ここにおいて、
前記第１の探索空間は、前記第２の探索空間と前記第３の探索空間の組み合わせを備え、
前記第１のダウンリンクコントロールチャネル復号候補は、前記第２の探索空間における第１の数のコントロールチャネルエレメント（ＣＣＥ）と、前記第３の探索空間における第２の数のＣＣＥとを備える、
を備える、方法。
【請求項２】
前記第２の数のＰＲＢは、１つ、２つ、または４つのＰＲＢのうちの１つを備える、請求項１に記載の方法。
【請求項３】
前記第１の数のＰＲＢは、６つのＰＲＢを備える、請求項１に記載の方法。
【請求項４】
前記第１の探索空間は、単一のダウンリンクコントロールチャネル復号候補を備える、請求項１に記載の方法。
【請求項５】
前記第１、第２、または第３のダウンリンクコントロールチャネル復号候補は、サブフレームのセットを利用して送信され、ここにおいて、前記サブフレームのセットは、２つ以上のサブフレームを備える、請求項１に記載の方法。
【請求項６】
前記サブフレームのセットに関してモニタすることをさらに備え、および、ここにおいて、前記サブフレームのセットは、ネットワークから受信された表示に少なくとも部分的に基づいて決定される、請求項５に記載の方法。
【請求項７】
前記狭帯域サイズは、より広いシステム帯域幅内にある、請求項１に記載の方法。
【請求項８】
前記狭帯域サイズは、前記ＵＥのカテゴリまたは前記ＵＥの性能のうちの少なくとも１つに基づく、請求項１に記載の方法。
【請求項９】
基地局（ＢＳ）によるワイヤレス通信のための方法であって、
サブフレーム内において、狭帯域サイズを表す第１の数の物理リソースブロック（ＰＲＢ）に及ぶ第１の探索空間を識別することと、
ユーザ機器（ＵＥ）がモニタするための第１のダウンリンクコントロールチャネル復号候補に対応する前記第１の探索空間におけるリソースを送信することと、
前記ＵＥがモニタするための第２のダウンリンクコントロールチャネル復号候補に対応する第２の探索空間におけるリソースを送信することと、ここにおいて、前記第２の探索空間は、前記第１の数のＰＲＢよりも少ない第２の数のＰＲＢに及び、
前記ＵＥがモニタするための第３のダウンリンクコントロールチャネル復号候補に対応する第３の探索空間におけるリソースを送信することと、ここにおいて、前記第３の探索空間は、前記第１の数のＰＲＢおよび前記第２の数のＰＲＢよりも少ない第３の数のＰＲＢに及び、ここにおいて、
前記第１の探索空間は、前記第２の探索空間と前記第３の探索空間の組み合わせを備え、
前記第１のダウンリンクコントロールチャネル復号候補は、前記第２の探索空間における第１の数のコントロールチャネルエレメント（ＣＣＥ）と、前記第３の探索空間における第２の数のＣＣＥとを備える、
を備える、方法。
【請求項１０】
前記第２の数のＰＲＢは、１つ、２つ、または４つのＰＲＢを備える、請求項９に記載の方法。
【請求項１１】
前記第１の数のＰＲＢは、６つのＰＲＢを備える、請求項９に記載の方法。
【請求項１２】
前記第１、第２、および第３の探索空間の各々の内のダウンリンクコントロールチャネル復号候補の複数の異なるセットを送信することをさらに備える、請求項９に記載の方法。
【請求項１３】
前記第１の探索空間は、単一のダウンリンクコントロールチャネル復号候補を備える、請求項９に記載の方法。
【請求項１４】
前記第１、第２、または第３のダウンリンクコントロールチャネル復号候補に対応する前記リソースは、サブフレームのセットを備え、前記サブフレームのセットは、２つ以上のサブフレームを備える、請求項９に記載の方法。
【請求項１５】
モニタするための前記サブフレームのセットを示す表示を送信することをさらに備える、請求項１４に記載の方法。
【請求項１６】
前記狭帯域サイズは、より広いシステム帯域幅内にある、請求項９に記載の方法。
【請求項１７】
前記狭帯域サイズは、前記ＵＥのカテゴリまたは前記ＵＥの性能のうちの少なくとも１つに基づく、請求項９に記載の方法。
【請求項１８】
ユーザ機器（ＵＥ）によるワイヤレス通信のための装置であって、
少なくとも１つのプロセッサと、
前記少なくとも１つのプロセッサに結合されたメモリと
を備え、前記メモリは、前記ＵＥに、
サブフレーム内において、狭帯域サイズを表す第１の数の物理リソースブロック（ＰＲＢ）に及ぶ第１の探索空間を識別することと、
第１のダウンリンクコントロールチャネル候補に関して前記第１の探索空間をモニタすることと、
第２のダウンリンクコントロールチャネル復号候補に関して、第２の数のＰＲＢに及ぶ第２の探索空間をモニタすることと、ここにおいて、前記第２の数のＰＲＢは、前記第１の数のＰＲＢよりも少なく、
第３のダウンリンクコントロールチャネル復号候補に関して、第３の数のＰＲＢに及ぶ第３の探索空間をモニタすることと、ここにおいて、前記第３の数のＰＲＢは、前記第１の数のＰＲＢおよび前記第２の数のＰＲＢよりも少なく、ここにおいて、
前記第１の探索空間は、前記第２の探索空間と前記第３の探索空間の組み合わせを備え、
前記第１のダウンリンクコントロールチャネル復号候補は、前記第２の探索空間における第１の数のコントロールチャネルエレメント（ＣＣＥ）と、前記第３の探索空間における第２の数のＣＣＥとを備える、
を行わせるための、前記少なくとも１つのプロセッサによって実行可能なコードを備える、装置。
【請求項１９】
基地局（ＢＳ）によるワイヤレス通信のための装置であって、
少なくとも１つのプロセッサと、
前記少なくとも１つのプロセッサに結合されたメモリと
を備え、前記メモリは、前記ＢＳに、
サブフレーム内において、狭帯域サイズを表す第１の数の物理リソースブロック（ＰＲＢ）に及ぶ第１の探索空間を識別することと、
ユーザ機器（ＵＥ）がモニタするための第１のダウンリンクコントロールチャネル復号候補に対応する前記第１の探索空間におけるリソースを送信することと、
前記ＵＥがモニタするための第２のダウンリンクコントロールチャネル復号候補に対応する第２の探索空間におけるリソースを送信することと、ここにおいて、前記第２の探索空間は、前記第１の数のＰＲＢよりも少ない第２の数のＰＲＢに及び、
前記ＵＥがモニタするための第３のダウンリンクコントロールチャネル復号候補に対応する第３の探索空間におけるリソースを送信することと、ここにおいて、前記第３の探索空間は、前記第１の数のＰＲＢおよび前記第２の数のＰＲＢよりも少ない第３の数のＰＲＢに及び、ここにおいて、
前記第１の探索空間は、前記第２の探索空間と前記第３の探索空間の組み合わせを備え、
前記第１のダウンリンクコントロールチャネル復号候補は、前記第２の探索空間における第１の数のコントロールチャネルエレメント（ＣＣＥ）と、前記第３の探索空間における第２の数のＣＣＥとを備える、
を行わせるための、前記少なくとも１つのプロセッサによって実行可能なコードを備える、装置。
【請求項２０】
前記第１の数のＣＣＥは、８つのＣＣＥを備え、前記第２の数のＣＣＥは、８つのＣＣＥを備える、請求項１に記載の方法。
【請求項２１】
前記第１のダウンリンクコントロールチャネル復号候補に関してモニタすることは、事前に定義されたインデックスに従って行われる、請求項１に記載の方法。
【請求項２２】
前記事前に定義されたインデックスは、
前記第３の探索空間によって後続される前記第２の探索空間、または
前記第２の探索空間によって後続される前記第３の探索空間
のうちの１つを示す、請求項２１に記載の方法。
【請求項２３】
前記事前に定義されたインデックスは、異なるＵＥに関して異なる、請求項２１に記載の方法。
【請求項２４】
前記第１の数のＣＣＥは、８つのＣＣＥを備え、前記第２の数のＣＣＥは、８つのＣＣＥを備える、請求項９に記載の方法。
【請求項２５】
前記第１のダウンリンクコントロールチャネル復号候補は、事前に定義されたインデックスに従ってインデックス付けされる、請求項９に記載の方法。
【請求項２６】
前記事前に定義されたインデックスは、
前記第３の探索空間によって後続される前記第２の探索空間、または
前記第２の探索空間によって後続される前記第３の探索空間
のうちの１つを示す、請求項２５に記載の方法。
【請求項２７】
前記事前に定義されたインデックスは、異なるＵＥに関して異なる、請求項２５に記載の方法。
【請求項２８】
ユーザ機器（ＵＥ）によるワイヤレス通信のための装置であって、
サブフレーム内において、狭帯域サイズを表す第１の数の物理リソースブロック（ＰＲＢ）に及ぶ第１の探索空間を識別するための手段と、
第１のダウンリンクコントロールチャネル復号候補に関して前記第１の探索空間をモニタするための手段と、
第２のダウンリンクコントロールチャネル復号候補に関して、第２の数のＰＲＢに及ぶ第２の探索空間をモニタするための手段と、ここにおいて、前記第２の数のＰＲＢは、前記第１の数のＰＲＢよりも少なく、
第３のダウンリンクコントロールチャネル復号候補に関して、第３の数のＰＲＢに及ぶ第３の探索空間をモニタするための手段と、ここにおいて、前記第３の数のＰＲＢは、前記第１の数のＰＲＢおよび前記第２の数のＰＲＢよりも少なく、ここにおいて、
前記第１の探索空間は、前記第２の探索空間と前記第３の探索空間の組み合わせを備え、
前記第１のダウンリンクコントロールチャネル復号候補は、前記第２の探索空間における第１の数のコントロールチャネルエレメント（ＣＣＥ）と、前記第３の探索空間における第２の数のＣＣＥとを備える、
を備える、装置。
【請求項２９】
基地局（ＢＳ）によるワイヤレス通信のための装置であって、
サブフレーム内において、狭帯域サイズを表す第１の数の物理リソースブロック（ＰＲＢ）に及ぶ第１の探索空間を識別するための手段と、
ユーザ機器（ＵＥ）がモニタするための第１のダウンリンクコントロールチャネル復号候補に対応する前記第１の探索空間におけるリソースを送信するための手段と、
前記ＵＥがモニタするための第２のダウンリンクコントロールチャネル復号候補に対応する第２の探索空間におけるリソースを送信するための手段と、ここにおいて、前記第２の探索空間は、前記第１の数のＰＲＢよりも少ない第２の数のＰＲＢに及び、
前記ＵＥがモニタするための第３のダウンリンクコントロールチャネル復号候補に対応する第３の探索空間におけるリソースを送信するための手段と、ここにおいて、前記第３の探索空間は、前記第１の数のＰＲＢおよび前記第２の数のＰＲＢよりも少ない第３の数のＰＲＢに及び、ここにおいて、
前記第１の探索空間は、前記第２の探索空間と前記第３の探索空間の組み合わせを備え、
前記第１のダウンリンクコントロールチャネル復号候補は、前記第２の探索空間における第１の数のコントロールチャネルエレメント（ＣＣＥ）と、前記第３の探索空間における第２の数のＣＣＥとを備える、
を備える、装置。
【請求項３０】
ユーザ機器（ＵＥ）によるワイヤレス通信のためのコンピュータ読み取り可能な媒体であって、前記コンピュータ読み取り可能な媒体は、前記ＵＥに、
サブフレーム内において、狭帯域サイズを表す第１の数の物理リソースブロック（ＰＲＢ）に及ぶ第１の探索空間を識別することと、
第１のダウンリンクコントロールチャネル復号候補に関して前記第１の探索空間をモニタすることと、
第２のダウンリンクコントロールチャネル復号候補に関して、第２の数のＰＲＢに及ぶ第２の探索空間をモニタすることと、ここにおいて、前記第２の数のＰＲＢは、前記第１の数のＰＲＢよりも少なく、
第３のダウンリンクコントロールチャネル復号候補に関して、第３の数のＰＲＢに及ぶ第３の探索空間をモニタすることと、ここにおいて、前記第３の数のＰＲＢは、前記第１の数のＰＲＢおよび前記第２の数のＰＲＢよりも少なく、ここにおいて、
前記第１の探索空間は、前記第２の探索空間と前記第３の探索空間の組み合わせを備え、
前記第１のダウンリンクコントロールチャネル復号候補は、前記第２の探索空間における第１の数のコントロールチャネルエレメント（ＣＣＥ）と、前記第３の探索空間における第２の数のＣＣＥとを備える、
を行わせるための、少なくとも１つのプロセッサによって実行可能なコードを備える、コンピュータ読み取り可能な媒体。
【請求項３１】
基地局（ＢＳ）によるワイヤレス通信のためのコンピュータ読み取り可能な媒体であって、前記コンピュータ読み取り可能な媒体は、前記ＢＳに、
サブフレーム内において、狭帯域サイズを表す第１の数の物理リソースブロック（ＰＲＢ）に及ぶ第１の探索空間を識別することと、
ユーザ機器（ＵＥ）がモニタするための第１のダウンリンクコントロールチャネル復号候補に対応する前記第１の探索空間におけるリソースを送信することと、
前記ＵＥがモニタするための第２のダウンリンクコントロールチャネル復号候補に対応する第２の探索空間におけるリソースを送信することと、ここにおいて、前記第２の探索空間は、前記第１の数のＰＲＢよりも少ない第２の数のＰＲＢに及び、
前記ＵＥがモニタするための第３のダウンリンクコントロールチャネル復号候補に対応する第３の探索空間におけるリソースを送信することと、ここにおいて、前記第３の探索空間は、前記第１の数のＰＲＢおよび前記第２の数のＰＲＢよりも少ない第３の数のＰＲＢに及び、ここにおいて、
前記第１の探索空間は、前記第２の探索空間と前記第３の探索空間の組み合わせを備え、
前記第１のダウンリンクコントロールチャネル復号候補は、前記第２の探索空間における第１の数のコントロールチャネルエレメント（ＣＣＥ）と、前記第３の探索空間における第２の数のＣＣＥとを備える、
を行わせるための、少なくとも１つのプロセッサによって実行可能なコードを備える、コンピュータ読み取り可能な媒体。
【手続補正２】
【補正対象書類名】明細書
【補正対象項目名】００８７
【補正方法】変更
【補正の内容】
【００８７】
[0098]  本開示の先の説明は、当業者が本開示を製造または使用することを可能にするために提供される。本開示に対する様々な修正は、当業者にとって容易に明らかとなり、本明細書で定義された包括的な原理は、本開示の精神または範囲から逸脱することなしに他の変形例に適用され得る。よって、本開示は、本明細書で説明される例および設計に限定されるように意図されたものではなく、本明細書で開示された原理および新規の特徴と一致する最も広い範囲が付与されるべきである。
以下に本願の出願当初の特許請求の範囲に記載された発明を付記する。
［Ｃ１］  ユーザ機器（ＵＥ）によるワイヤレス通信のための方法であって、
サブフレーム内において、狭帯域サイズを表す第１の数の物理リソースブロック（ＰＲＢ）を占有する、ダウンリンクコントロールチャネルに関してモニタするための第１の探索空間を識別すること、および
前記サブフレームにおいて送信された前記ダウンリンクコントロールチャネルに関して少なくとも前記第１の探索空間をモニタすること
を備える、方法。
［Ｃ２］  前記第１の数のＰＲＢは、前記ダウンリンクコントロールチャネルに関して第２の探索空間によって占有された第２の数のＰＲＢよりも多く、また、前記ダウンリンクコントロールチャネルに関して第３の探索空間によって占有された第３の数のＰＲＢよりも多い、Ｃ１に記載の方法。
［Ｃ３］  前記第２の探索空間によって占有された前記第２の数のＰＲＢは、１つ、２つ、または４つのＰＲＢのうちの１つを備える、Ｃ２に記載の方法。
［Ｃ４］  前記モニタすることは、
前記第１の数のＰＲＢに及ぶダウンリンクコントロールチャネル復号候補に関して前記第１の探索空間をモニタすること、および
前記第１の数のＰＲＢよりも少ない数のＰＲＢに及ぶダウンリンクコントロールチャネル復号候補に関して前記第２の探索空間または前記第３の探索空間のうちの少なくとも１つをモニタすること
を備える、Ｃ２に記載の方法。
［Ｃ５］  前記第１の数のＰＲＢは、６つのＰＲＢを備える、Ｃ１に記載の方法。
［Ｃ６］  前記第１の探索空間は、前記第２の探索空間と第３の探索空間の組み合わせを備える、Ｃ２に記載の方法。
［Ｃ７］  前記モニタすることは、前記第２の探索空間と前記第３の探索空間との両方におけるリソースを有する復号候補に関して前記第１の探索空間をモニタすることを備える、Ｃ６に記載の方法。
［Ｃ８］  前記第１の探索空間は、単一のダウンリンクコントロールチャネル復号候補を備える、Ｃ１に記載の方法。
［Ｃ９］  前記ダウンリンクコントロールチャネルは、サブフレームのセットを利用して送信され、ここにおいて、前記サブフレームのセットは、２つ以上のサブフレームを備える、Ｃ１に記載の方法。
［Ｃ１０］  モニタすることは、前記サブフレームのセットをモニタすることを備え、および、ここにおいて、前記サブフレームのセットは、ネットワークから受信された表示に少なくとも部分的に基づいて決定される、Ｃ９に記載の方法。
［Ｃ１１］  前記狭帯域サイズは、より広いシステム帯域幅内にある、Ｃ１に記載の方法。
［Ｃ１２］  前記狭帯域サイズのサイズは、前記ＵＥのカテゴリまたは前記ＵＥの性能のうちの少なくとも１つに基づく、Ｃ１に記載の方法。
［Ｃ１３］  基地局（ＢＳ）によるワイヤレス通信のための方法であって、
サブフレーム内において、狭帯域サイズを表す第１の数の物理リソースブロック（ＰＲＢ）を占有する、ダウンリンクコントロールチャネルに関してモニタするための、ユーザ機器（ＵＥ）に関する第１の探索空間を識別すること、および
前記第１の探索空間において、前記ＵＥに、１つまたは複数のダウンリンクコントロールチャネルを送信すること
を備える、方法。
［Ｃ１４］  前記第１の数のＰＲＢは、前記ダウンリンクコントロールチャネルに関して第２の探索空間によって占有された第２の数のＰＲＢよりも多く、また、前記ダウンリンクコントロールチャネルに関して第３の探索空間によって占有された第３の数のＰＲＢよりも多い、Ｃ１３に記載の方法。
［Ｃ１５］  前記第２の探索空間によって占有された前記第２の数のＰＲＢは、１つ、２つ、または４つのＰＲＢを備える、Ｃ１４に記載の方法。
［Ｃ１６］  前記送信することは、前記１つまたは複数のダウンリンクコントロールチャネルを、
前記第１の数のＰＲＢに及ぶダウンリンクコントロールチャネル復号候補に対応する前記第１の探索空間におけるリソース、または
前記第１の数のＰＲＢよりも少ない数のＰＲＢに及ぶダウンリンクコントロールチャネル復号候補に対応する前記第２の探索空間または前記第３の探索空間のうちの少なくとも１つにおけるリソース
を使用して、送信することを備える、Ｃ１４に記載の方法。
［Ｃ１７］  前記第１の数のＰＲＢは、６つのＰＲＢを備える、Ｃ１６に記載の方法。
［Ｃ１８］  前記送信することは、
前記第１、第２、および第３の探索空間の各々の内のダウンリンクコントロールチャネル復号候補の複数の異なるセットに従って、前記１つまたは複数のダウンリンクコントロールチャネルを送信することを備える、Ｃ１４に記載の方法。
［Ｃ１９］  前記第１の探索空間は、前記第２の探索空間と第３の探索空間の組み合わせを備える、Ｃ１４に記載の方法。
［Ｃ２０］  前記送信することは、前記第２の探索空間と前記第３の探索空間との両方におけるリソースを有するダウンリンクコントロールチャネル復号候補を使用して、前記第１の探索空間において前記１つまたは複数のダウンリンクコントロールチャネルを送信することを備える、Ｃ１９に記載の方法。
［Ｃ２１］  前記第１の探索空間は、単一のダウンリンクコントロールチャネル復号候補を備える、Ｃ１３に記載の方法。
［Ｃ２２］  送信することは、サブフレームのセットを使用して、前記１つまたは複数のダウンリンクコントロールチャネルを送信することを備え、ここにおいて、前記サブフレームのセットは、２つ以上のサブフレームを備える、Ｃ１３に記載の方法。
［Ｃ２３］  送信することは、前記１つまたは複数のダウンリンクコントロールチャネルに関してモニタするための前記サブフレームのセットを示す表示を送信することを備える、Ｃ２２に記載の方法。
［Ｃ２４］  前記狭帯域サイズは、より広いシステム帯域幅内にある、Ｃ１３に記載の方法。
［Ｃ２５］  前記狭帯域サイズのサイズは、前記ＵＥのカテゴリまたは前記ＵＥの性能のうちの少なくとも１つに基づく、Ｃ１３に記載の方法。
［Ｃ２６］  ユーザ機器（ＵＥ）によるワイヤレス通信のための装置であって、
サブフレーム内において、狭帯域サイズを表す第１の数の物理リソースブロック（ＰＲＢ）を占有する、ダウンリンクコントロールチャネルに関してモニタするための第１の探索空間を識別し、および
前記サブフレームにおいて送信された前記ダウンリンクコントロールチャネルに関して少なくとも前記第１の探索空間をモニタする
ように構成された少なくとも１つのプロセッサ、および
前記少なくとも１つのプロセッサに結合されたメモリ、
を備える、装置。
［Ｃ２７］  基地局（ＢＳ）によるワイヤレス通信のための装置であって、
サブフレーム内において、狭帯域サイズを表す第１の数の物理リソースブロック（ＰＲＢ）を占有する、ダウンリンクコントロールチャネルに関してモニタするための、ユーザ機器（ＵＥ）に関する第１の探索空間を識別し、および
前記第１の探索空間において、前記ＵＥに、１つまたは複数のダウンリンクコントロールチャネルを送信する
ように構成された少なくとも１つのプロセッサ、および
前記少なくとも１つのプロセッサに結合されたメモリ、
を備える、装置。